(57)【要約】【課題】オーディオ後処理に係り、具体的には５．１チャンネルサウンド出力を７．１チャンネルサウンドに作り出す多チャンネルデジタル立体音響サウンド生成方法及び装置を提供する。【解決手段】本発明は、（ａ）エンコーディングされたオーディオストリームを入力される段階と、（ｂ）前記入力されたエンコーディングされたオーディオストリームをデコーディングする段階と、（ｃ）前記デコーディングされたオーディオストリームで多チャンネルの立体音響サウンドを生成する段階と、（ｄ）前記生成された多チャンネル立体音響サウンド出力の左側ステレオチャンネル信号と右側ステレオチャンネル信号及び中央チャンネルの信号を利用してＴＶ左側スピーカ出力及びＴＶ右側スピーカ出力を生成する段階とを含む多チャンネル立体音響サウンドの生成方法に関する。【選択図】　図５
2004048751.tif 000002
【特許請求の範囲】
【請求項１】
多チャンネル立体音響サウンドシステムにて、
複数の出力チャンネルがさらに追加された場合、左側ステレオチャンネル信号と右側ステレオチャンネル信号及び中央チャンネルの信号を利用して追加された出力を生成する多チャンネル立体音響サウンドの生成方法。
【請求項２】
前記多チャンネル立体音響サウンドシステムは５．１チャンネル立体音響サウンドシステムであり、前記追加される複数の出力チャンネルはＴＶまたはステレオオーディオシステムのスピーカを利用することを特徴とする請求項１に記載の多チャンネル立体音響サウンドの生成方法。
【請求項３】
（ａ）エンコーディングされたオーディオストリームを入力される段階と、
（ｂ）前記入力されたエンコーディングされたオーディオストリームをデコーディングする段階と、
（ｃ）前記デコーディングされたオーディオストリームで多チャンネルの立体音響サウンドを生成する段階と、
（ｄ）前記生成された多チャンネル立体音響サウンド出力の左側ステレオチャンネル信号と右側ステレオチャンネル信号及び中央チャンネルの信号を利用してＴＶ左側スピーカ出力及びＴＶ右側スピーカ出力を生成する段階と
を含む多チャンネル立体音響サウンドの生成方法。
【請求項４】
前記（ｃ）段階において、
多チャンネルの立体音響サウンドは５．１チャンネルサウンドであることを特徴とする請求項３に記載の多チャンネル立体音響サウンドの生成方法。
【請求項５】
前記（ｄ）段階において、
ＴＶ左側スピーカ出力は前記左側ステレオチャンネル出力に比べて相対的に小さく、前記左側ステレオチャンネルに近いほど前記左側ステレオチャンネル出力成分が多くなって中央チャンネル出力成分は少なくなり、
ＴＶ右側スピーカ出力は前記右側ステレオチャンネル出力に比べて相対的に小さく、前記右側ステレオチャンネルに近いほど前記右側ステレオチャンネル出力成分が多くなって中央チャンネル出力成分は少なくなることを特徴とする請求項３に記載の多チャンネル立体音響サウンドの生成方法。
【請求項６】
前記（ｄ）段階において、
ＴＶ左側スピーカ出力は前記左側ステレオチャンネル出力信号に所定の定数値をかけた結果と、１から前記所定の定数値をひいて前記中央チャンネル出力信号にかけた結果とを加えた値に一定の定数をかけて得て、
ＴＶ右側スピーカ出力は前記右側ステレオチャンネル出力信号に所定の定数値をかけた結果と、１から前記所定の定数値をひいて前記中央チャンネル出力信号にかけた結果とを加えた値に一定の定数をかけて得ることを特徴とする請求項３に記載の多チャンネル立体音響サウンドの生成方法。
【請求項７】
前記（ｄ）段階において、
ＴＶ左側スピーカ出力（Ｌｔｖ）とＴＶ右側スピーカ出力（Ｒｔｖ）とは次式により得られることを特徴とする請求項３に記載の多チャンネル立体音響サウンドの生成方法。
Ｌｔｖ＝０．７＊｛ａ＊Ｌ＋（１−ａ）＊Ｃ｝
Ｒｔｖ＝０．７＊｛ａ＊Ｒ＋（１−ａ）＊Ｃ｝
ここで、Ｌは左側ステレオチャンネル出力信号であり、Ｒは右側ステレオチャンネル出力信号であり、Ｃは中央チャンネルの出力信号であり、ａは定数であり、前記ＴＶ右側スピーカと前記右側ステレオチャンネルスピーカ間の距離を前記ＴＶ右側スピーカと前記右側ステレオチャンネルスピーカ間の距離と前記ＴＶ右側スピーカと前記中央チャンネルスピーカ間の距離の和で割った値である。
【請求項８】
前記ａ値は、
区間０．１から１．０までスピーカの位置により０．１または０．２の間隔でユーザから値を入力されて調節できることを特徴とする請求項７に記載の多チャンネル立体音響サウンドの生成方法。
【請求項９】
前記エンコーディングされたオーディオストリームは、
ドルビー（登録商標）デジタルサウンド、ＤＴＳ、ＡＡＣのうちいずれか一つの方法でエンコーディングされたことを特徴とする請求項３に記載の多チャンネル立体音響サウンドの生成方法。
【請求項１０】
（ａ）エンコーディングされたオーディオストリームを入力される段階と、
（ｂ）前記入力されたエンコーディングされたオーディオストリームをデコーディングする段階と、
（ｃ）前記デコーディングされたオーディオストリームから中央チャンネル、左側サラウンドチャンネル、右側サラウンドチャンネル及びウーファチャンネルの出力を作り出す段階と、
（ｄ）前記デコーディングされたオーディオストリームから左側ステレオチャンネル出力及び右側ステレオチャンネル出力を作り出す段階と、
（ｅ）前記デコーディングされたオーディオストリームの前記左側ステレオチャンネル信号と前記右側ステレオチャンネル信号及び前記中央チャンネルの信号を利用してＴＶ左側スピーカ出力及びＴＶ右側スピーカ出力を生成する段階と
を含む多チャンネル立体音響サウンドの生成方法。
【請求項１１】
前記（ｄ）段階において、
左側ステレオチャンネル出力は前記左側ステレオチャンネル出力と左側サラウンドチャンネル出力信号で作り出し、左側ステレオチャンネル出力信号を左側サラウンドチャンネル出力信号より相対的に多く含め、
右側ステレオチャンネル出力は前記右側ステレオチャンネル出力と右側サラウンドチャンネル出力信号で作り出し、右側ステレオチャンネル出力信号を右側サラウンドチャンネル出力信号より相対的に多く含めることを特徴とする請求項１０に記載の多チャンネル立体音響サウンドの生成方法。
【請求項１２】
前記（ｄ）段階において、
左側ステレオチャンネルの出力（Ｌ）及び右側ステレオチャンネルの出力（Ｒ）は次式により得られることを特徴とする請求項１０に記載の多チャンネル立体音響サウンドの生成方法。
Ｌ＝０．７＊Ｌ＋０．３＊Ｌｓ
Ｒ＝０．７＊Ｒ＋０．３＊Ｒｓ
ここで、Ｌｓは左側サラウンドチャンネル出力信号であり、Ｒｓは右側サラウンドチャンネル出力信号である。
【請求項１３】
前記（ｅ）段階において、
ＴＶ左側スピーカ出力は前記左側ステレオチャンネル出力に比べて相対的に小さく、前記左側ステレオチャンネルに近いほど前記左側ステレオチャンネル出力成分が多くなって中央チャンネル出力成分は少なくなり、
ＴＶ右側スピーカ出力は前記右側ステレオチャンネル出力に比べて相対的に小さく、前記右側ステレオチャンネルに近いほど前記右側ステレオチャンネル出力成分が多くなって中央チャンネル出力成分は少なくなることを特徴とする請求項１０に記載の多チャンネル立体音響サウンドの生成方法。
【請求項１４】
前記（ｅ）段階において、
ＴＶ左側スピーカ出力（Ｌｔｖ）とＴＶ右側スピーカ出力（Ｒｔｖ）とは次式により生成することを特徴とする請求項１０に記載の多チャンネル立体音響サウンドの生成方法。
Ｌｔｖ＝０．７＊｛（０．３＋ａ）＊Ｌ＋（１−ａ）＊Ｃ｝
Ｒｔｖ＝０．７＊｛（０．３＋ａ）＊Ｒ＋（１−ａ）＊Ｃ｝
ここで、Ｌは左側ステレオチャンネル出力信号であり、Ｒは右側ステレオチャンネル出力信号であり、Ｃは中央チャンネルの出力信号であり、ａは定数であり、前記ＴＶ右側スピーカと前記右側ステレオチャンネルスピーカ間の距離を前記ＴＶ右側スピーカと前記右側ステレオチャンネルスピーカ間の距離と前記ＴＶ右側スピーカと前記中央チャンネルスピーカ間の距離の和で割った値である。
【請求項１５】
ドルビー（登録商標）デジタルサウンド、ＤＴＳ、ＡＡＣのうちいずれか一つの方法でエンコーディングされた圧縮オーディオデータを入力されて貯蔵する圧縮オーディオデータ入力部と、
前記入力された圧縮オーディオデータを前記エンコーディングされた形式によりＰＣＭオーディオデータにデコーディングするデコーディング部と、
前記デコーディングされたＰＣＭオーディオデータで中央チャンネル、左側ステレオチャンネル、右側ステレオチャンネル、左側サラウンドチャンネル、右側サラウンドチャンネル及び低周波向上チャンネルに出力されるサウンドを生成する多チャンネルサウンド生成部と、
前記多チャンネルサウンド生成部にて作り出された左側ステレオチャンネル信号と右側ステレオチャンネル信号とをもってＴＶの左側スピーカ用出力及びＴＶの右側スピーカ用出力を作り出すＴＶスピーカ出力生成部と、
スピーカの位置により前記左側ステレオチャンネル信号と前記右側ステレオチャンネル信号とを再び作り出す多チャンネル用ＴＶスピーカ出力生成部と
を含む多チャンネル立体音響サウンド生成装置。
【請求項１６】
前記ＴＶスピーカ出力生成部において、
ＴＶ左側スピーカ出力は前記左側ステレオチャンネル出力に比べて相対的に小さく、前記左側ステレオチャンネルに近いほど前記左側ステレオチャンネル出力成分が多くなって中央チャンネル出力成分は少なくなり、
ＴＶ右側スピーカ出力は前記右側ステレオチャンネル出力に比べて相対的に小さく、前記右側ステレオチャンネルに近いほど前記右側ステレオチャンネル出力成分が多くなって中央チャンネル出力成分は少なくなることを特徴とする請求項１５に記載の多チャンネル立体音響サウンド生成装置。
【請求項１７】
前記ＴＶスピーカ出力生成部において、
ＴＶ左側スピーカ出力（Ｌｔｖ）は次の数式（１）または数式（２）により生成し、ＴＶ右側スピーカ出力（Ｒｔｖ）は次の数式（３）または数式（４）により生成することを特徴とする請求項１５に記載の多チャンネル立体音響サウンド生成装置。
Ｌｔｖ＝０．７＊｛ａ＊Ｌ＋（１−ａ）＊Ｃ｝　　　　　　　…　数式（１）
Ｌｔｖ＝０．７＊｛（０．３＋ａ）＊Ｌ＋（１−ａ）＊Ｃ｝　…　数式（２）
Ｒｔｖ＝０．７＊｛ａ＊Ｒ＋（１−ａ）＊Ｃ｝　　　　　　　…　数式（３）
Ｒｔｖ＝０．７＊｛（０．３＋ａ）＊Ｒ＋（１−ａ）＊Ｃ｝　…　数式（４）
ここで、Ｌは左側ステレオチャンネル出力信号であり、Ｒは右側ステレオチャンネル出力信号であり、Ｃは中央チャンネルの出力信号であり、ａは定数であり、前記ＴＶ右側スピーカと前記右側ステレオチャンネルスピーカ間の距離を前記ＴＶ右側スピーカと前記右側ステレオチャンネルスピーカ間の距離と前記ＴＶ右側スピーカと前記中央チャンネルスピーカ間の距離の和で割った値である。
【請求項１８】
請求項１ないし請求項１４のうちいずれか１項に記載された方法をコンピュータにて実行するためのプログラムを記録したコンピュータで読み取れる記録媒体。
【発明の詳細な説明】
【０００１】
【発明の属する技術分野】
本発明はオーディオ後処理法に係り、具体的には多チャンネルサウンドシステムにて複数の出力が追加された場合に追加された出力を既存の多チャンネルサウンドと調和されるべく生成し、自然な立体音響を具現した多チャンネル立体音響サウンド具現方法及び装置に関する。
【０００２】
具体的には、ドルビー（登録商標）デジタルサウンドやＤＴＳ（Ｄｉｇｉｔａｌ　Ｔｈｅａｔｅｒ　Ｓｙｓｔｅｍ）のような５．１チャンネルサウンド出力を７．１チャンネルサウンド出力に作り出し、増えた２つのチャンネル出力をＴＶ（テレビジョン）受像機両側に存在する２つのスピーカを利用して出力することによる仮想の７．１チャンネルサウンド生成方法及び装置に関する。
【０００３】
【従来の技術】
５．１チャンネルサウンドは２チャンネルの左右ステレオチャンネル、２チャンネルの左右サラウンドチャンネル、単一の中央チャンネル及び低周波向上（ＬＦＥ：Ｌｏｗ　Ｆｒｅｑｕｅｎｃｙ　Ｅｎｈａｎｃｅｍｅｎｔ）チャンネルより構成されている。
【０００４】
多チャンネルサウンドへの関心が高まりつつ、このような５．１チャンネルサウンドシステムにいくつかのチャンネルをさらに追加するシステムが登場している。しかし、すでに５．１チャンネルサウンドシステムを備えている場合、高価な７．１チャンネルサウンドシステムやそれ以外の多チャンネルサウンドシステムを別個に備えることは非経済的である。従って、５．１チャンネルサウンドシステムにＴＶ受像機を連結したホームシアタシステムにてＴＶ受像機のスピーカを利用できるならばコスト面でさらに効率的である。
【０００５】
一般的にＴＶを備えたホームシアタシステムにて、５．１チャンネルサウンドシステムにはＴＶのスピーカ出力用端子が存在し、この出力は５チャンネルのオーディオ出力を合成して作り出す。しかし、このように全てのチャンネル出力を考慮してＴＶスピーカに入り込む出力を作り出す場合に、既存の５．１チャンネルサウンドと干渉を起こしてチャンネル分離度と立体感とを低下させる問題点が存在する。これと共に、高価ではない５．１チャンネルサウンドシステムでは前方チャンネルのサウンドが貧弱であるという問題点がある。
【０００６】
従って、このようなチャンネル分離度問題と干渉問題とを解決するためにＴＶのスピーカに出力されるサウンドを既存の５．１チャンネルサウンドシステムの出力に調和されるべく新しく作り出す必要がある。
【０００７】
特許文献１では少数のスピーカを使用して多数のスピーカを使用したのと同効果を出すためのチャンネル数変換方法及び装置について開示している。このために音源とスピーカの位置情報により出力を調節する制御部とＭ個の音源をＮ個のチャンネル数に変換するデータ処理部とを備える。しかし、先行技術はＭ個の音源をＮ個のチャンネル数に変換することであり、本発明のようにチャンネル別に音を分離して出力するのではなくして複数の音源を複数のチャンネルに変換して処理する。
【０００８】
そして、特許文献２では５．１チャンネルオーディオを支援するシステムにて上下位チャンネルを追加して立体音響の再生効果を出すための方法を開示している。このためにオーディオ符号化部に上下位チャンネルオーディオデータのために相異なるパケット識別子をそれぞれ付加して提供し、復号化部にてこのパケット識別子を分離して上下位チャンネルオーディオを再生する。
【０００９】
また、特許文献３では３つ以上のチャンネルを有したオーディオ信号をそれぞれ区分再生することにより、現実に近い立体音を再生できる頭部装着型の多チャンネル音響再生装置について開示している。前記頭部装着型の音響再生装置に直前方再生部、側前方再生部、側後方再生部を備えて立体音響効果を出すようにしている。
【００１０】
【特許文献１】
韓国特許公開１９９８−００４７６５号公報
【特許文献２】
韓国特許公開１９９８−００４５６０１号公報
【特許文献３】
韓国特許公開１９９９−７００６５号公報
【００１１】
【発明が解決しようとする課題】
前記の問題を解決するために本発明では、ＴＶ受像機を備えた５．１チャンネルサウンドホームシアタシステムにてＴＶスピーカ出力による干渉現象を除去し、ＴＶ受像機のスピーカを活用し、高価ではない５．１チャンネルサウンドシステムの貧弱な前方サウンドを補強する仮想７．１チャンネルサウンド生成方法及び装置を提供することを目的とする。
【００１２】
【課題を解決するための手段】
前記の目的を達成するために本発明では、多チャンネル立体音響サウンドシステムにて、複数の出力チャンネルがさらに追加された場合、左側ステレオチャンネル信号と右側ステレオチャンネル信号及び中央チャンネルの信号を利用して追加された出力を生成する多チャンネル立体音響サウンドの生成方法を提供する。
【００１３】
前記の目的を達成するために本発明では、エンコーディングされたオーディオストリームを入力される段階と、前記入力されたエンコーディングされたオーディオストリームをデコーディングする段階と、前記デコーディングされたオーディオストリームをもって多チャンネルの立体音響サウンドを生成する段階と、前記生成された多チャンネルサウンド出力にて左側ステレオチャンネル信号と右側ステレオチャンネル信号及び中央チャンネルの信号を利用してＴＶ左側スピーカ出力及びＴＶ右側スピーカ出力を生成する段階とを含むチャンネルを追加した多チャンネル立体音響サウンドの生成方法を提供する。
【００１４】
前記の目的を達成するために本発明では、エンコーディングされたオーディオストリームを入力される段階と、前記入力されたエンコーディングされたオーディオストリームをデコーディングする段階と、前記デコーディングされたオーディオストリームから中央チャンネル、左側サラウンドチャンネル、右側サラウンドチャンネル及びウーファチャンネルの出力を作り出す段階と、前記デコーディングされたオーディオストリームから左側ステレオチャンネル出力及び右側ステレオチャンネル出力を作り出す段階と、前記デコーディングされたオーディオストリームの前記左側ステレオチャンネル信号と前記右側ステレオチャンネル信号及び前記中央チャンネルの信号を利用してＴＶ左側スピーカ出力及びＴＶ右側スピーカ出力を生成する段階とを含む多チャンネル立体音響サウンドの生成方法を提供する。
【００１５】
前記の目的を達成するために本発明では、ドルビー（登録商標）デジタルサウンド、ＤＴＳ、ＡＡＣのうちいずれか一つの方法でエンコーディングされた圧縮オーディオデータを入力されて貯蔵する圧縮オーディオデータ入力部と、前記入力された圧縮オーディオデータを前記エンコーディングされた形式によりＰＣＭオーディオデータにデコーディングするデコーディング部と、前記デコーディングされたＰＣＭオーディオデータをもって中央チャンネル、左側ステレオチャンネル、右側ステレオチャンネル、左側サラウンドチャンネル、右側サラウンドチャンネル及び低周波向上チャンネルに出力されるサウンドを生成する多チャンネルサウンド生成部と、前記多チャンネルサウンド生成部にて作り出された左側ステレオチャンネル信号と右側ステレオチャンネル信号とをもってＴＶの左側スピーカ用出力及びＴＶの右側スピーカ用出力を作り出すＴＶスピーカ出力生成部と、スピーカの位置により前記左側ステレオチャンネル信号と右側ステレオチャンネル信号とを再び作り出す多チャンネル用ＴＶスピーカ出力生成部とを含む多チャンネル立体音響サウンド生成装置を提供する。
【００１６】
前記の目的を達成するために本発明では、前記方法をコンピュータにて実行するためのプログラムを記録したコンピュータで読み取れる記録媒体を提供する。
【００１７】
【発明の実施の形態】
以下、添付された図面を参照して本発明による望ましい一実施形態を詳細に説明する。
【００１８】
図１は一般的な５．１チャンネルサウンドシステムのスピーカ配置図面である。
【００１９】
５．１チャンネルサウンドシステムは左側ステレオチャンネル１１０、右側ステレオチャンネル１２０、左側サラウンドチャンネル１３０、右側サラウンドチャンネル１４０、単一の中央チャンネル１５０及びＬＦＥチャンネル１６０より構成されている。
【００２０】
図２は５．１チャンネルサウンドシステムにＴＶ受像機が備わった場合の既存システム構成図面である。
【００２１】
一般的にＴＶ受像機が備わったホームシアタシステムにてＴＶ受像機２１０は中央に位置するので、ＴＶ受像機のスピーカは左側ステレオチャンネル２２０と中央チャンネル２３０間に、そして右側ステレオチャンネル２４０と中央チャンネル２３０間に位置する。
【００２２】
５．１チャンネルデコーダは入力されるオーディオ信号を５．１チャンネルのＰＣＭデータに作り出すだけではなく、２チャンネル出力だけを有したＴＶ受像機のような装置に出力するサウンド出力端子を有している。ドルビー（登録商標）デジタルサウンドを例とすれば、ＴＶの左側出力（Ｌｔｖ）２５０は１．０＊Ｌ＋０．７０７＊Ｃ＋０．７０７＊Ｌｓ−０．７０７＊Ｒｓのような式により計算され、右側出力（Ｒｔｖ）２６０は１．０＊Ｒ＋０．７０７＊Ｃ＋０．７０７＊Ｒｓ＋０．７０７＊Ｌｓのような式により計算される。
【００２３】
従って、既存の５．１チャンネルサウンドシステムでの５．１チャンネルサウンドと２チャンネルサウンドとがそれぞれ独立的に再生される時は問題ないが、共に出力されれば２チャンネルサウンドを作り出す時に前記のような式を使用したので、５．１チャンネルのサラウンドチャンネル出力情報（Ｌｓ）２７０，（Ｒｓ）２８０をどちらも含んでいて干渉を起こすので、立体感と分離度とを低下させる。
【００２４】
図３は５．１チャンネルサウンドシステムにてＴＶスピーカを利用した７．１チャンネルサウンド具現法の図面である。
【００２５】
まず、ＡＣ−３やＤＴＳなどの多チャンネルサウンドのエンコーディングされた入力ストリームを入力される（３１０段階）。そして、ＡＣ−３デコーダやＤＴＳデコーダが入力ストリームをデコーディングする（３２０段階）。デコーディングしてから５．１チャンネルでチャンネル別サウンドを生成し、ＴＶ受像機のように２チャンネルサウンド出力が必要な場合には、システムにより決められた計算式により計算されたダウンミックスされた出力を生成する（３３０段階）。そして、生成された出力を５．１チャンネルスピーカとＴＶスピーカとに出力する（３４０段階）。
【００２６】
図４は高価ではない５．１チャンネルサウンドシステムでのスピーカ配置図である。
【００２７】
ほとんどの高価ではない５．１チャンネル音響機器は低周波用ウーファを除外した５つのスピーカが同じ大きさと出力とを有するべく構成されている。従って、対話場面での音声や音楽タイトルの再生時の音楽音のようなオーディオ信号が左側ステレオチャンネルと右側ステレオチャンネルとに偏重された場合には前方側スピーカでのサウンド出力が貧弱である。
【００２８】
すなわち、映画視聴時に聴覚が多チャンネルサラウンド音響に慣れている状態で俳優らの対話場面に変われば、前方にあるスピーカのサウンドが相対的に小さすぎると感じられる場合が多く、歌手の実況公演のような音楽タイトルを再生する場合にも前方スピーカのサウンドが貧弱であると感じる。従って、２チャンネルに出力される場面と５チャンネルに出力される場面のサウンドサイズレベルの差を大きく感じる。
【００２９】
従って、高価な５．１チャンネル機器になるほど前方側スピーカと中央スピーカの大きさと出力とがサラウンドスピーカに比べて大きくなる傾向があるが、これにより経済的費用が大きくなる。従って、本発明ではホームシアタシステムでのＴＶ受像機の２つのスピーカを活用する。
【００３０】
図５はＴＶスピーカを利用した本発明の多チャンネル立体音響サウンドの生成方法の図面である。
【００３１】
本発明の多チャンネル立体音響サウンドの生成方法も図３の７．１チャンネル具現方法と方法は同一である。すなわち、まず、ＡＣ−３やＤＴＳなどの多チャンネルサウンドのエンコーディングされた入力ストリームを入力される（５１０段階）。そして、ＡＣ−３デコーダやＤＴＳデコーダが入力ストリームをデコーディングする（５２０段階）。デコーディングしてから５．１チャンネルでそれぞれのサウンドを生成し（５３０段階）、ＴＶ受像機のように２チャンネルサウンド出力が必要な場合には本発明にて提供する数式により計算されたダウンミックスされた出力を生成する（５４０段階）。そして、生成された出力を５．１チャンネルスピーカとＴＶスピーカに出力する（５５０段階）。
【００３２】
ＴＶを追加した７．１チャンネルオーディオシステムの配置は図２と同一である。ただし、ＴＶスピーカに出力される信号Ｌｔｖ　２５０、Ｒｔｖ　２６０だけ再び計算される。
【００３３】
ＴＶの左側出力をＬｔｖ　２５０、右側出力をＲｔｖ　２６０とすれば、その値は次式により計算される。
〈数式１〉
Ｌｔｖ＝０．７＊｛ａ＊Ｌ＋（１−ａ）＊Ｃ｝
〈数式２〉
Ｒｔｖ＝０．７＊｛ａ＊Ｒ＋（１−ａ）＊Ｃ｝
【００３４】
ここで、Ｌは左側ステレオチャンネル出力２２０を示し、Ｒ　２４０は右側ステレオチャンネル出力を示し、Ｃ　２３０は中央チャンネル出力を示す。
【００３５】
この時、ａは定数であり、その値はＴＶ右側スピーカ（Ｒｔｖ）２６０と右側ステレオチャンネルスピーカ（Ｒ）２４０間の距離をＴＶ右側スピーカ（Ｒｔｖ）２６０と右側ステレオチャンネルスピーカ（Ｒ）２４０間の距離とＴＶ右側スピーカ（Ｒｔｖ）２６０と中央チャンネルスピーカ（Ｃ）２３０間の距離の和で割った値である。
【００３６】
ａは区間０．１から１．０までユーザがスピーカの位置により０．１ないし０．２ほどの間隔でａ値を調節できる。そして、数式１と数式２とで定数０．７はＴＶ左側出力（Ｌｔｖ）２５０が左側ステレオチャンネル出力（Ｌ）２２０と中央チャンネル出力（Ｃ）２３０とを補強する概念であるので、利得を３ｄＢほど下げるためのものである。
【００３７】
図６はＴＶスピーカを利用した本発明の多チャンネル立体音響サウンド生成のためのシステムの他の配置図である。
【００３８】
図２とシステム配置が似ているが、図６では左側ステレオチャンネル（Ｌ）６５０または右側ステレオチャンネル（Ｒ）６３０と中央チャンネル（Ｃ）６４０との角度が固定されているのではなくして流動的にでき、この場合にはＴＶ左側出力（Ｌｔｖ）６１０及びＴＶ右側出力（Ｒｔｖ）６２０の値だけではなく、右側ステレオチャンネル出力（Ｒ）６３０及び左側ステレオ出力（Ｌ）６５０の値も再び計算する。
【００３９】
利用する数式は次の通りである。
〈数式３〉
Ｌ＝０．７＊Ｌ＋０．３＊Ｌｓ
〈数式４〉
Ｌｔｖ＝０．７＊｛（０．３＋ａ）＊Ｌ＋（１−ａ）＊Ｃ｝
〈数式５〉
Ｃ＝Ｃ
〈数式６〉
Ｒ＝０．７＊Ｒ＋０．３＊Ｒｓ
〈数式７〉
Ｒｔｖ＝０．７＊｛（０．３＋ａ）＊Ｒ＋（１−ａ）＊Ｃ｝
〈数式８〉
Ｒｓ＝Ｒｓ、Ｌｓ＝Ｌｓ
【００４０】
同様に、ａは定数であり、その値はＴＶ右側スピーカ（Ｒｔｖ）６２０と右側ステレオチャンネルスピーカ（Ｒ）６３０間の距離をＴＶ右側スピーカ（Ｒｔｖ）６２０と右側ステレオチャンネルスピーカ（Ｒ）６３０間の距離とＴＶ右側スピーカ（Ｒｔｖ）６２０と中央チャンネルスピーカ（Ｃ）６４０間の距離の和で割った値である。
【００４１】
前述した図２の場合と異なる点は左側ステレオチャンネルスピーカ（Ｌ）６５０と右側ステレオチャンネルスピーカ（Ｒ）６３０の位置が変わるので、左側ステレオチャンネル（Ｌ）６５０出力、右側ステレオチャンネル（Ｒ）６３０出力、ＴＶ左側出力（Ｌｔｖ）６１０、ＴＶ右側出力（Ｒｔｖ）６２０の計算法が変わる。すなわち、左側ステレオチャンネル（Ｌ）６５０と右側ステレオチャンネル（Ｒ）６３０のスピーカの位置がサラウンドスピーカにもう少し近づいたので、左側ステレオチャンネル（Ｌ）６５０の出力と右側ステレオチャンネル（Ｒ）６３０の本来成分を若干減らし、サラウンド信号を若干混ぜる代わりにＴＶ左側出力（Ｌｔｖ）６１０とＴＶ右側出力（Ｒｔｖ）６２０にて左側ステレオチャンネル（Ｌ）６５０出力と右側ステレオチャンネル（Ｒ）６３０出力成分をさらに混ぜる。
【００４２】
ａは区間０．１から１．０までユーザがスピーカの位置により０．１ないし０．２ほどの間隔で段階を調節できる。そして、数式（３）と（４）とで定数０．７はＴＶ左側出力（Ｌｔｖ）６１０が左側ステレオチャンネル（Ｌ）６５０の出力と中央チャンネル（Ｃ）６４０の出力を補強する概念であるので、利得を３ｄＢほど下げるためのものである。
【００４３】
図７はドルビー（登録商標）デジタルサウンドで本発明のＴＶスピーカ出力生成方法を適用したアルゴリズム図面である。
【００４４】
ドルビー（登録商標）デジタルサウンド再生アルゴリズムでは、エンコーディングされたビットストリームを入力されてＰＣＭ信号に出力してＤ／Ａ変換を経て出力する。このようなドルビー（登録商標）サウンドに本発明を適用すれば、ウインドーオーバラップ段階で発せられたＰＣＭ信号を前述のダウンミックス計算式を利用してＴＶスピーカの出力を求められる。
【００４５】
図８は本発明の多チャンネル立体音響サウンドの生成装置図面である。
【００４６】
多チャンネル立体音響サウンド生成装置は圧縮オーディオデータ入力部８１０、デコーディング部８２０、多チャンネルサウンド生成部８３０、ＴＶスピーカ出力生成部８４０、多チャンネル用ＴＶスピーカ出力生成部８５０より構成される。
【００４７】
圧縮オーディオデータ入力部８１０はドルビー（登録商標）デジタルサウンドまたはＤＴＳ、ＡＡＣのようなエンコーディングされた圧縮オーディオデータを入力されて貯蔵する。
【００４８】
デコーディング部８２０は入力された圧縮オーディオをエンコーディングされた形式によりＰＣＭデータにデコーディングする。
【００４９】
多チャンネルサウンド生成部８３０は中央チャンネル、左側ステレオチャンネル、右側ステレオチャンネル、左側サラウンドチャンネル、右側サラウンドチャンネル及びウーファに出力されるサウンドを生成する。生成する方法は５．１チャンネルの場合に既存の５．１チャンネル生成方法と同じである。
【００５０】
ＴＶスピーカ出力生成部８４０は多チャンネルサウンド生成部８３０にて作り出された左側ステレオチャンネルと右側ステレオチャンネル信号でもって説明したような数式を使用してダウンミックスされたＴＶの左側スピーカ用出力及びＴＶの右側スピーカ用出力を作り出す。
【００５１】
多チャンネル用ＴＶスピーカ出力生成部８５０はＴＶスピーカ出力だけを再び作り出すのではなく、左側ステレオチャンネルと右側ステレオチャンネル信号もスピーカの位置により前述の数式を使用して再び作り出す。
【００５２】
一方、前述の本発明の実施形態はコンピュータで実行できるプログラムで作成可能であり、コンピュータで読み取れる記録媒体を利用して前記プログラムを動作させる汎用ディジタルコンピュータにて具現されうる。
【００５３】
前記コンピュータで読み取れる記録媒体はマグネチック貯蔵媒体（例えば、ＲＯＭ、フロッピー（登録商標）ディスク、ハードディスクなど）、光学的判読媒体（例えば、ＣＤＲＯＭ、ＤＤＶＤなど）及びキャリアウエーブ（例えば、インターネットを通じた伝送）のような貯蔵媒体を含む。
【００５４】
これまで本発明についてその望ましい実施形態を中心に説明した。本発明が属する技術分野にて当業者は本発明が本発明の本質的な特性から外れない範囲で変形された形態に具現できることが理解できるであろう。従って、開示された実施形態は限定的な観点でなくして説明的な観点で考慮されるべきである。本発明の範囲は前述した説明でなく特許請求の範囲に示されており、それと同等な範囲内にある全ての差異点は本発明に含まれたものと解釈されるべきである。
【００５５】
【発明の効果】
前述のように本発明は、５．１チャンネルサウンドについてダウンミックスされた２チャンネルサウンドの干渉現象を除去し、追加費用なしにＴＶやオーディオのような機器に付着されている２つのスピーカを積極的に活用して高価ではない５．１チャンネルサウンド機器の貧弱な前方オーディオ出力を補強できる。
【００５６】
また、既存の５．１チャンネル装備と連動し、５．１チャンネルサウンドと差別化されてさらに立体感ある仮想の７．１チャンネルサウンドを作り出してデジタルビデオディスクプレーヤ（ＤＶＤＰ）のような製品に適用できる。
【図面の簡単な説明】
【図１】一般的な５．１チャンネルサウンドシステムのスピーカ配置図である。
【図２】５．１チャンネルサウンドシステムにＴＶ受像機が備わった場合の既存システム構成図である。
【図３】５．１チャンネルサウンドシステムにてＴＶスピーカを利用した７．１チャンネルサウンド再生法の図面である。
【図４】高価ではない５．１チャンネルサウンドシステムでのスピーカ配置図である。
【図５】ＴＶスピーカを利用した本発明の多チャンネル立体音響サウンドの生成方法図面である。
【図６】ＴＶスピーカを利用した本発明の多チャンネル立体音響サウンド生成のためのシステムの他の配置図である。
【図７】ドルビー（登録商標）デジタルサウンドで本発明のＴＶスピーカ出力生成方法を適用したアルゴリズム図面である。
【図８】本発明の多チャンネル立体音響サウンド生成装置の図面である。
【符号の説明】
６１０　ＴＶ左側出力
６２０　ＴＶ右側出力
６３０　右側ステレオ出力
６４０　中央チャンネル
６５０　左側ステレオ出力
【図１】
2004048751.tif 000003
【図２】
2004048751.tif 000004
【図３】
2004048751.tif 000005
【図４】
2004048751.tif 000006
【図５】
2004048751.tif 000007
【図６】
2004048751.tif 000008
【図７】
2004048751.tif 000009
【図８】
2004048751.tif 000010